(57)【特許請求の範囲】
【請求項１】
半導体からなる固体発光素子で構成された光源と、前記光源を調光制御するための矩形波の制御電圧と交流電源からの正弦波電圧とを重畳する波形制御部と、前記波形制御部から出力される重量波形を平滑し、その平滑出力を前記光源に供給して該光源を点灯させる平滑回路と、を備えた調光制御システムであって、
光源が点灯する最低電圧を測定する電圧測定手段と、
前記電圧測定手段により測定された最低電圧から前記光源に供給可能な最高電圧までの電圧値を調光率０〜１００％に割付ける調光テーブルを作成する割付け手段と、を備え、
前記割付け手段により作成された調光テーブルに従って前記矩形波の制御電圧を制御することにより調光制御し、
光源が白熱灯の場合に供給される点灯電力量Ｗａを下記の（数１）に基づき予め測定されて記憶される値とし、及び前記調光テーブルの調光率に対応して前記平滑回路から前記固体発光素子に供給される点灯電力量Ｗｂを下記の（数２）で測定される値とする場合、前記割付け手段は、前記調光テーブルの調光率に対応して前記平滑回路から前記固体発光素子に供給される点灯電力量Ｗｂが、前記光源が白熱灯の場合に供給される点灯電力量Ｗａと略同じになるように前記固体発光素子を調光制御するための制御電圧の矩形波のオンデューティを決定することを特徴とする調光制御システム。
【数１】
0005363026.tif 000009
【数２】
0005363026.tif 000010
（但し、ｆ（ｔ）は白熱灯の瞬間点灯電力、ｇ（ｔ）は固体発光素子の瞬間点灯電力、Ｔｈは交流電源の半周期）
【発明の詳細な説明】
【技術分野】
【０００１】
本発明は、交流電圧と矩形波の制御電圧を重畳した重畳電圧を平滑してなる点灯電力により、光源を点灯制御する調光制御システムに関する。
【背景技術】
【０００２】
従来、交流電源を用いて、白熱電灯やＬＥＤの照明負荷を調光する調光制御システムとして、正弦波である交流電圧と光源を調光制御するための矩形波である制御電圧とを重畳した重畳電圧を光源に供給し、調光制御する調光制御システムが知られている（例えば、特許文献１参照）。
【０００３】
しかしながら、このような調光制御システムにおいて、光源が白熱灯の場合は、電圧振幅を０〜１００％まで変化させて調光制御すればよい。しかし、光源がＬＥＤのように、印加電圧の振幅が一定のオン電圧（順方向電圧Ｖｆ）に達するまでは点灯しない照明負荷の場合は、電圧振幅の瞬時値が、オン電圧以上にならないと電流が流れず、点灯しない。例えば、順方向電圧Ｖｆが３Ｖの白色ＬＥＤを２０個直列に並べたＬＥＤ照明器具では、そのオン電圧は６０Ｖとなり、交流電圧の瞬時値が６０Ｖに達するまでは点灯しない。そのときの電流波形は図１２に示すようになる。
【０００４】
従って、このようなオン電圧を持つ照明器具においては、照明負荷への供給電源の電圧振幅をオン電圧以下にすると消灯し、電圧に比例した調光制御を行うことができない。即ち、電圧振幅を調光率０〜１００％に割付けて調光制御することができない。
【０００５】
また、各種ＬＥＤ照明負荷においては、ＬＥＤ素子の種類や直列に接続するＬＥＤ素子の数によって合成Ｖｆが異なるので、互いに同じ点灯電圧範囲で調光制御すると、不具合が生じる。
【特許文献１】特開２００７−１２８６６９号公報
【発明の開示】
【発明が解決しようとする課題】
【０００６】
本発明は、上記の問題を解決するためになされたものであり、光源のオン電圧から上限までの振幅を調光率０〜１００％に割付けて調光制御することで適切な調光を行うことができる調光制御システムを提供することを目的とする。
【課題を解決するための手段】
【０００７】
上記目的を達成するために請求項１の発明は、半導体からなる固体発光素子で構成された光源と、前記光源を調光制御するための矩形波の制御電圧と交流電源からの正弦波電圧とを重畳する波形制御部と、前記波形制御部から出力される重量波形を平滑し、その平滑出力を前記光源に供給して該光源を点灯させる平滑回路と、を備えた調光制御システムであって、光源が点灯する最低電圧を測定する電圧測定手段と、前記電圧測定手段により測定された最低電圧から前記光源に供給可能な最高電圧までの電圧値を調光率０〜１００％に割付ける調光テーブルを作成する割付け手段と、を備え、前記割付け手段により作成された調光テーブルに従って前記矩形波の制御電圧を制御することにより調光制御し、光源が白熱灯の場合に供給される点灯電力量Ｗａを下記の（数１）に基づき予め測定されて記憶される値とし、及び前記調光テーブルの調光率に対応して前記平滑回路から前記固体発光素子に供給される点灯電力量Ｗｂを下記の（数２）で測定される値とする場合、前記割付け手段は、前記調光テーブルの調光率に対応して前記平滑回路から前記固体発光素子に供給される点灯電力量Ｗｂが、前記光源が白熱灯の場合に供給される点灯電力量Ｗａと略同じになるように前記固体発光素子を調光制御するための制御電圧の矩形波のオンデューティを決定する。但し、ｆ（ｔ）は白熱灯の瞬間点灯電力、ｇ（ｔ）は固体発光素子の瞬間点灯電力、Ｔｈは交流電源の半周期である。
【数１】
0005363026.tif 000002
【数２】
0005363026.tif 000003
【発明の効果】
【０００９】
請求項１の発明によれば、光源を点灯する最低電圧と最高電圧とに対応して調光率０〜１００％に割付けることができるので、点灯する最低電圧が異なる光源に対しても、調光率０〜１００％での調光を実現することができる。これにより、光源を白熱灯からオン電圧の高いＬＥＤに変えても、調光率の調整における点灯しない調光範囲がなくなり、調光率に従ってスムーズな調光制御を行うことができる。
【００１０】
また、当該請求項１の発明によれば、固体発光素子を白熱灯と同じ調光率にて同じ点灯電力となるように調光制御できるので、調光率を変化させたときの固体発光素子の照度変化を白熱灯の変化に近づけることができ、光源を白熱灯から固体発光素子に変えた場合にも、調光率に対する照度変化の度合いを変らないようにできる。
【発明を実施するための最良の形態】
【００１１】
以下、本発明の第１の実施形態に係る調光制御システム（以下、本システムという）について、図１乃至図７を参照して説明する。本システムは、図１に示すように、光源１０と、この光源１０に交流電源４０より点灯電力を供給制御する調光制御装置２０と、この調光制御装置２０から光源１０に供給される電流を検出し、検出した電流値を調光制御装置２０に送る電流検出部（電圧測定手段）３０とを備える。
【００１２】
光源１０は、調光制御装置２０により点灯される照明灯（照明負荷）であり、調光制御装置２０からの点灯電力により電流が流れる抵抗負荷成分を有する。この光源１０としては、白熱球や、ＬＥＤ及び有機ＥＬなどの半導体からなる固体発光素子等を使用することができる。
【００１３】
調光制御装置２０は、調光率を設定するための設定部２１と、ユーザが調光率を設定するために操作する操作部２２と、調光率に基いて矩形波の制御電圧Ｖ２を発生する制御部（波形制御部、電圧測定手段、割付け手段）２３と、制御電圧Ｖ２と交流電源４０よりの交流電圧Ｖ１とを重畳する電圧重畳部（波形制御部）２４と、電圧重畳部２４からの重畳出力波形を平滑する平滑回路２５とを備える。交流電源４０は、正負の値を交互に示す波形パターンを成す正弦波の交流電圧Ｖ１を電圧重畳部２４に供給する。この制御部２３は、電流検出部３０により光源１０が点灯する最低電圧（オン電圧）を測定することにより、最低電圧と光源１０に供給可能な最高電圧とによる点灯可能電圧範囲を確定し、この点灯可能電圧範囲を調光率０〜１００％に割付けた調光テーブルを作成し、これに従って調光制御するものである。
【００１４】
設定部２１は、ＣＰＵで構成され、操作部２２より設定された調光率を制御部２３に指示する。操作部２２は、電気抵抗を可変するボリュウムを備え、ユーザがボリュウムを操作して設定部２１で調光率を設定する。
【００１５】
制御部２３は、上記ＣＰＵを共用し、設定部２１で設定された調光率を基に、光源１０を調光制御するための矩形波の制御電圧Ｖ２を生成する。この制御電圧Ｖ２は、図２に示されるように、交流電源周波数より高い周波数（周期Ｔ０）の矩形波により形成される。また、制御部２３は、この制御電圧Ｖ２の矩形波のオンデューティ（ｗ％）を、設定部２１により設定された調光率に対応して制御する。ここでは、調光率とオンデューティの関係は、調光テーブルにテーブル化され、ＣＰＵ内のメモリに記憶される。これにより、光源１０の点灯可能電圧範囲を調光率０〜１００％に割付ける調光テーブルは、等価的に調光率０〜１００％に対するオンデューティを割付ける調光テーブルとなる。即ち、制御部２３は、調光テーブルに従って制御電圧Ｖ２の矩形波のオンデューティを変え、点灯電圧Ｖ４の振幅を点灯可能電圧範囲で制御する。なお、オンデューティとは、パルスのオンとオフを周期的に切り替える際における1周期中のオンの期間の割合を言う。
【００１６】
電圧重畳部２４は、半導体のスイッチング素子として、トランジスタＱ１、Ｑ２を備える。スイッチング素子としては、ＭＯＳＦＥＴ、ＩＧＢＴ（Insulated Gate Bipolar transistor）、及びバイポーラトランジスタ等が使用される。
【００１７】
平滑回路２５は、チョークコイルＬ１、Ｌ２と電解コンデンサＣ１を備えた低域通過フィルタからなる平滑フィルタであり、電圧重畳部２４の重畳出力電圧Ｖ３を平滑して点灯電圧Ｖ４を光源１０に対して出力する。チョークコイルＬ１、Ｌ２は、それぞれトランジスタＱ１、Ｑ２の各エミッタに接続され、チョークコイルＬ１、Ｌ２の出力側の端子は、コンデンサＣ１で終端されている。
【００１８】
上記構成において、電圧重畳部２４のトランジスタＱ１、Ｑ２のコレクタには、図３（ａ）に示される交流電圧Ｖ１が印加され、それらの各ベースには、制御部２３で形成された図３（ｂ）に示される周期Ｔ０の矩形波の制御電圧Ｖ２が入力される。この制御電圧Ｖ２により、交流電圧Ｖ１の正弦波における正負の半波長期間毎に交互にトランジスタＱ１、Ｑ２がスイチングされる。この結果、図３（ｃ）に示されるように、トランジスタＱ１、Ｑ２の各エミッタの出力電圧は、正弦波の交流電圧Ｖ１が制御電圧Ｖ２の矩形波によりオン、オフされ、これらが重畳された重畳出力電圧Ｖ３となる。この重畳出力電圧Ｖ３は、平滑回路２５により平滑される。この平滑回路２５の出力は、図３（ｄ）に示されるように、矩形波のオンデューティにより振幅レベルが変化する点灯電圧Ｖ４となる。
【００１９】
点灯電圧Ｖ４の振幅は、矩形波のオンデューティが１００％のときに最高値となり、交流電圧Ｖ１のピーク電圧と略同じになる。また、点灯電圧Ｖ４に重畳されている矩形波の高周波数成分は、平滑回路２５の低域通過フィルタの特性により濾過されて低減される。
【００２０】
電流検出部３０は、図４に示すように、電流検出用の抵抗Ｒ１を有し、抵抗Ｒ１は、平滑回路２５と光源１０とのラインに接続され、抵抗Ｒ１の両端は制御部２３に接続される。これにより、電流検出部３０は、抵抗Ｒ１の両端における電位差Ｖｒの情報を制御部２３に送り、制御部２３は、この電位差Ｖｒのアナログ電圧データをＣＰＵでＡ／Ｄ変換し、負荷電流を検出する。また、制御部２３は、点灯電圧Ｖ４の振幅が光源１０のオン電圧より低ければ、光源１０に電流が流れず電位差Ｖｒが０Ｖとなり、光源１０のオン電圧より高くなれば、光源１０に電流が流れて電位差Ｖｒが０Ｖより大きくなることにより、光源１０の電流のオン、オフを簡単に検出することができる。
【００２１】
また、電位差Ｖｒは、制御部２３が光源１０の電流のオン、オフを検出できる大きさの電圧値であればよいので、光源１０の照明負荷電圧に比較して微小な電圧値でよく、従って、抵抗Ｒ１の値は極めて小さい値とする。また、制御部２３は、抵抗Ｒ１の一端の光源１０側から入力される電圧値をＡ／Ｄ変換することにより、光源１０のオン電圧を検出することもできる。
【００２２】
上記のように構成された本システムの動作を説明する。制御部２３は、電源が投入されると、まず、光源１０のオン電圧を検出するための制御を行うオン電圧計測モードに入り、光源１０の点灯するオン電圧を検出し、このオン電圧を検出すると、ユーザが操作できる調光制御の調光操作モードに入る。
【００２３】
このオン電圧計測モードの動作について図５を参照して説明する。制御部２３は、電源が投入され、オン電圧計測モードが開始されると、カウンタにｎ＝１を設定し（Ｓ１）、矩形波のオンデューティ（ｎ％）を１％に設定して（Ｓ２）、電流検出部３０からの電位差Ｖｒを測定し、この測定電圧を基に、光源１０に電流が流れていない場合は（Ｓ３でＮＯ）、ｎを（ｎ＋１）として（Ｓ４）、Ｓ２に戻って、矩形波のオンデューティを１％づつ上昇していく。このオンデューティの上昇は、例えば、図６に示すように、交流電源の半周期Ｔｈ毎に点灯電圧Ｖ４のピーク電圧を１％づつ増やすことにより行うことができる。また、制御部２３は、Ｓ３でＹＥＳのときは、光源１０が点灯する最低電圧Ｖｍｉｎが検出されるので、このときの矩形波におけるオンデューティの値を記憶する（Ｓ５）。このとき、同時にオン電圧（最低電圧Ｖｍｉｎ）も記憶し（Ｓ６）、オン電圧計測モードを終了し、調光操作モードに移る。
【００２４】
次に、調光操作モードの動作について図７を参照して説明する。調光操作モードにおいては、制御部２３は、操作部２２のボリュームの値（例えば、ボリュームで可変される電圧の値又は回転角度など）をＣＰＵでＡ／Ｄ変換した値を基に、矩形波のオンデューティを調整し、点灯電圧Ｖ４の振幅を制御して、光源１０を調光する。まず、制御部２３は、調光率０〜１００％に対応させるために、Ａ／Ｄ変換されたボリュームの値を０〜１００％の１％刻みの値にする。次に、オン電圧検出モードでオン電圧が検出されたときのオンデューティ（例えば、Ａ％）の値を、ボリュームの値が０％のときのオンデューティ（Ａ％）に割り振り、このオンデューティ（Ａ％）からオンデューティ１００％までを１００等分し、それぞれボリュームの値に割り振る。
【００２５】
図７に示すように、光源１０がＬＥＤ（ここでは、複数の直列接続のＬＥＤとする）である場合は、点灯電圧Ｖ４によりＬＥＤが点灯する最低電圧Ｖｍｉｎは、複数の直列ＬＥＤの合成順方向電圧Ｖｆ（例えば、合成Ｖｆ＝６０ボルト）となる。制御部２３は、点灯電圧Ｖ４の６０〜１４１ボルトに対して、調光率０〜１００％を割付けて調光テーブルを作成する。このときの調光率０％における矩形波のオンデューティ（Ａ％）は、点灯電圧Ｖ４が６０Ｖとなるときのオンデューティとなり、約４０％（＝６０／１４１）となる。
【００２６】
従って、ＬＥＤの場合には、６０Ｖの最低電圧Ｖｍｉｎ（オンデューティ４０％）と１４１Ｖの最高電圧Ｖｍａｘ（オンデューティ１００％）間を１００分割して割付けたときの調光率ｎと矩形波のオンデューティＴｎとの関係は、次の式３で表される。
【数３】
0005363026.tif 000004
0005363026.tif 000005
【００２７】
下記の表１に、光源１０が白熱灯とＬＥＤとの場合における制御部２３により割付けられた調光率ｎと、調光率ｎに対応したオンデューティＴｎの関係を表す調光テーブルを示す。
【００２８】
【表１】
0005363026.tif 000006
【００２９】
上記表１に示されるように、電源投入時に、最低電圧Ｖｍｉｎと最高電圧Ｖｍａｘに基き割付けられた調光率に対応する矩形波のオンデューティを示す調光テーブルが、点灯される光源１０の種類に応じて自動的に作成される。即ち、光源１０が点灯するオン電圧が異なる光源１０に対しても、調光率０〜１００％に対応した調光テーブルが形成される。これにより、光源１０がＬＥＤである場合にも、最低電圧Ｖｍｉｎを常に調光率０％の始点とすることができるので、白熱灯と同じように、調光率を０〜１００％に設定して、低い調光率の場合にも点灯が途切れることなく調光することができる。また、ボリュームの回転に応じて調光制御する場合においては、同じ調光操作感覚で明るさを調整することができる。なお、調光テーブルの作成は、製品出荷時の調光テーブルを初期値として、製品がユーザに亘ってからも、ユーザが使用時に自動的に初期値を書き換えて調光テーブルを作成することができる。これにより、製品出荷後、ユーザが光源１０の照明負荷を交換したときなどにも対応することができる。
【００３０】
このように、本実施形態によれば、光源１０を点灯する最低電圧Ｖｍｉｎと最高電圧Ｖｍａｘとに対応して調光率０〜１００％に割付けることができるので、点灯する最低電圧Ｖｍｉｎが異なる光源１０に対しても、調光率０〜１００％での調光を実現することができる。これにより、光源１０を白熱灯からオン電圧の高いＬＥＤに変えても、調光率の調整における点灯しない調光範囲がなくなり、調光率に従ってスムーズな調光制御を行うことができる。
【００３１】
また、ＬＥＤ素子の種類や直列に接続するＬＥＤ素子の数による合成Ｖｆの違いによって、オン電圧が異なる各種ＬＥＤ照明負荷に対し、互いに同じ点灯電圧範囲で調光制御しても、調整電圧範囲が狭くなり過ぎたり、広くなり過ぎてＬＥＤが点灯しない調光電圧範囲が存在するというような不具合が発生しない。
【００３２】
図８は、電流検出部３０にダイオードＤ１を用い、制御部２３がダイオードＤ１両端の電位差Ｖｄから電流検出を行う構成を示す。この構成においては、光源１０が点灯してダイオードＤ１に流れる電流が増大しても、ダイオードＤ１両端の電位差Ｖｄの絶対値が１ボルト前後と小さく、かつ、電圧変化が少ないので、低消費電力で安定した電流検知を行うことができる。
【００３３】
図９は、電流検出部３０にカレントトランス３１を用い、制御部２３がカレントトランス３１の２次コイルの両端から電流検出を行う構成を示す。この構成においては、カレントトランス３１からの検出電流をトランス結合により点灯電圧Ｖ４のラインと絶縁して取り出せ、制御部２３における電流検知処理が容易になる。
【００３４】
次に、本発明の第１の実施形態の変形例に係る調光制御システムについて、図１０乃至図１１を参照して説明する。図１０に示すように、本変形例は、光源１０をＬＥＤ（固体発光素子）としたときに、白熱灯のときとの照度変化を少なくするために、調光テーブルの調光率に対応して平滑回路から光源１０に供給される点灯電力量が、光源１０が白熱灯の場合に供給される点灯電力量と略同じになるように、ＬＥＤを調光制御するための矩形波のオンデューティを決定するものである。なお、ＬＥＤは有機ＥＬ等の他の半導体からなる固体発光素子でもよい。
【００３５】
本システムにおいては、調光制御装置２０の出力側と光源１０の入力側との間に、光源１０に供給される点灯電力を測定するための電力計５０を備えている。制御部２３は、電力計５０で測定された電力データを基に、光源１０がＬＥＤ及び白熱灯のそれぞれの場合に対して、交流電源４０の半周期Ｔｈにおける点灯電力量を検出する。
【００３６】
本システムにおいては、図１１（ａ）に示すように、交流電源４０に基く点灯電圧Ｖ４がＬＥＤに供給されると、ＬＥＤには、ＬＥＤのオン期間Ｔａのみ電流Ｉａが流れる。また、図１１（ａ）に比較のために示した白熱灯の場合の点灯電圧Ｖ４による電流Ｉｈは、交流電源４０の半周期Ｔｈの全範囲で流れる。なお、通常、ＬＥＤは白熱灯に比較して負荷抵抗が小さいので、同じ点灯電圧に対してＬＥＤの電流Ｉａの最大振幅は、白熱灯の電流Ｉｈの最大振幅に比べ大きくなる。図１１（ｂ）は調光率が１００％と５０％の場合におけるＬＥＤの点灯電力ｇ（ｔ）を示し、図１１（ｃ）は同じく調光率が１００％と５０％の場合における白熱灯の点灯電力ｆ（ｔ）を示す。
【００３７】
ここで、交流電源４０の半周期ＴｈにおけるＬＥＤに供給される点灯電力量をＷｂとし、白熱灯に供給される点灯電力量をＷａとすると、ＷａとＷｂは、それぞれの瞬時点灯電力ｆ（ｔ）と瞬時点灯電力ｇ（ｔ）を交流電源４０の半周期Ｔｈに亘って積分することにより得られ、次の式４、式５で表される。
【数４】
0005363026.tif 000007
【数５】
0005363026.tif 000008
【００３８】
上記式５に基き、制御部２３は、電力計５による測定電力を基にＬＥＤの点灯電力量Ｗｂを算出し、ＬＥＤの点灯電力量Ｗｂが、ＬＥＤと同じ調光率の白熱灯の点灯電力量Ｗａと等しくなるように、制御電圧Ｖ２の矩形波のオンデューティを決定する。なお、ここでは、白熱灯の点灯電力量Ｗａは、予め測定されて記憶されている。
【００３９】
このように、本変形例によれば、ＬＥＤを白熱灯と同じ調光率にて略同じ点灯電力量となるように調光制御できる。これにより、調光率を変化させたときのＬＥＤの照度変化を白熱灯の照度変化に近づけることができ、光源１０を白熱灯からＬＥＤに変えた場合にも、調光率に対する照度変化の度合いを変らないようにできる。
【００４０】
なお、本発明は上記各実施形態の構成に限定されるものではなく、発明の趣旨を変更しない範囲で種々の変形が可能である。上記実施形態では、調光操作モードにおける調光率の調整をボリュームを用いて行ったが、照明機材間のデータ通信を行うためのプロトコルであるＤＭＸ（Digital Multiplex）やＰＷＭ信号を用いる通信回線を介した調光制御信号により行うこともできる。また、オン電圧検出モードにおいては、交流電圧の半周期毎に矩形波のオンデューティの変化幅を１％づつ変化させたが、０．１％や５％づつとしてもよく、また、１％、２０％、４０％のように、限られたオンデューティにより電流を検出してもよい。また、照度計によりＬＥＤと白熱灯の照度を測定し、ＬＥＤの照度が同じ調光率で白熱灯と同じ照度になるように、ＬＥＤのオンデュイティを決定して予め調光テーブルを作成することもできる。
【図面の簡単な説明】
【００４１】
【図１】本発明の第１の実施形態に係る照明制御システムの構成図。
【図２】上記システムにおける制御電圧のオンデューティ波形を示す図。
【図３】（ａ）は上記システムにおける調光制御装置の交流電源の電圧波形を示す図、（ｂ）は同装置の制御電圧の波形を示す図、（ｃ）は同装置の重畳出力電圧の波形を示す図、（ｄ）は同装置における平滑回路出力の点灯電圧の波形を示す図。
【図４】上記システムの電流検出部を示す図。
【図５】上記システムにおけるオン電圧計測モードのフローチャート。
【図６】上記システムにおけるオン電圧検出のためのオンデューティの変化を示す図。
【図７】上記システムにおけるＬＥＤの場合の調光率と点灯電圧の変化範囲との関係を示す図。
【図８】上記システムの電流検出部をダイオードで構成した例を示す図。
【図９】上記システムの電流検出部をカレントトランスで構成した例を示す図。
【図１０】本発明の第１の実施形態に係る変形例における照明制御システムの構成図。
【図１１】（ａ）は上記システムにおける点灯電圧とＬＥＤの点灯電流との関係を示す図、（ｂ）は同システムにおけるＬＥＤの場合の調光率と点灯電力の関係を示す図、（ｃ）は同白熱灯の場合の調光率と点灯電力の関係を示す図。
【図１２】従来の調光制御の課題を説明するための波形図。
【符号の説明】
【００４２】
１０  光源（固体発光素子）
２０  調光制御装置
２３  制御部（波形制御部、電圧測定手段、割付け手段）
２４  電圧重畳部（波形制御部）
２５  平滑回路
３０  電流検出部（電圧測定手段）
【図１】
0005363026.tif 000011
【図２】
0005363026.tif 000012
【図３】
0005363026.tif 000013
【図４】
0005363026.tif 000014
【図５】
0005363026.tif 000015
【図６】
0005363026.tif 000016
【図７】
0005363026.tif 000017
【図８】
0005363026.tif 000018
【図９】
0005363026.tif 000019
【図１０】
0005363026.tif 000020
【図１１】
0005363026.tif 000021
【図１２】
0005363026.tif 000022